(57)【要約】【課題】  ＬＥＤを光源としたものであっても壁面の照度をほぼ均一に調整できる壁面照明装置を提供することである。【解決手段】  モジュール１２ａ〜１２ｄには複数個のＬＥＤ１３がそれぞれ取り付けられてＬＥＤ光源が形成される。モジュール１２ａ〜１２ｄに形成されたＬＥＤ光源は、複数個のＬＥＤ１３を組み合わせてＲＧＢが組み合わさった光を出射する。複数個のモジュール１２ａ〜１２ｄは、ボックス１１に対する設置角度が調整可能にボックス１１に取り付けられる。ボックス１１の全面部には配光制御部材１４が取り付けられ、配光制御部材１４はＬＥＤ光源からの出射光を配光制御して壁面に照射する。【選択図】  図１
2007080666.tif 000002
【特許請求の範囲】
【請求項１】
複数個のＬＥＤを組み合わせて複数の光色の光を出射可能であるＬＥＤ光源と；
複数個のＬＥＤが取り付けられ前記ＬＥＤ光源を形成したモジュールと；
複数個の前記モジュールを並べて各々のモジュールの設置角度を調整可能に取り付けたボックスと；
前記ＬＥＤ光源からの出射光を配光制御し壁面に照射する配光制御部材と；
を備えたことを特徴とする壁面照明装置。
【請求項２】
前記ＬＥＤ光源からの出射光の強度が各ＬＥＤ光源ごとに調整できることを特徴とする請求項１記載の壁面照明装置。
【発明の詳細な説明】
【技術分野】
【０００１】
本発明は、テレビスタジオやステージの背景壁を照明する壁面照明装置に関する。
【背景技術】
【０００２】
テレビスタジオやステージの背景壁面（ホリゾント面）を照明する壁面照明装置としてはホリゾントライトがある。このホリゾントライトでは、被照射面であるホリゾント面の照度が均一になるように照射することが要請されている。
【０００３】
そこで、上部には広角に照射するランプ装置を配設し、下部には狭角に照射するランプ装置を配設して、上部に位置するランプ装置では広角にして単位面積当たり照射量を小さくして距離の短い比較的広い部分を照射し、下部に位置するランプ装置では狭角にしてスポット的に単位面積当たり照射量を大きくして距離の長い比較的狭い部分を照射して、全体としてはほぼ均一にホリゾント面を照射するようにした照明装置がある（例えば、特許文献１参照）。
【０００４】
一方、ホリゾントライトの光源にはハロゲン電球や蛍光灯が用いられ、最近はＬＥＤを用いたものも開発されている。ＬＥＤはハロゲンランプに比較すると光出力が小さく有色光をそのまま出力できる。一方、ハロゲン電球は光出力は大きいが色演出の際には色フィルターを通さなければならないので、色フィルターを通すことによる光のロスが大きく照度が落ちる。すなわち、ＬＥＤは光出力は小さいが、色演出を考慮した場合にはハロゲン電球と同等の光出力を得ることができる。また、ＬＥＤを光源としたホリゾントライトは、ＬＥＤの特徴である光の指向性の高さから、なるべくホリゾント面全体が照射されるように所定の角度をもって配置されている。
【特許文献１】特開平８−２９８００４号公報
【発明の開示】
【発明が解決しようとする課題】
【０００５】
しかし、ＬＥＤを光源とするホリゾントライトでは、ホリゾントライトの設置条件によっては、壁面から理想的な距離に光源であるＬＥＤを配置できず、壁面全体に照度を均一に照射できないことがある。これは、ＬＥＤは光の指向性が高いので照度ムラが生じやすいからである。
【０００６】
そこで、ＬＥＤを収納した装置本体自体に角度調整機構を設けてＬＥＤの出射光の向きを調整するようにしたものがあるが、これは装置本体の配置角度を調節するものであるので、装置に収納されたＬＥＤ全体の向きが変わり、壁面の照度を均一に調整することが難しい。特に、テレビスタジオやステージの曲面部分の壁面を照射する際には、壁面での反射が曲面での反射となるので、曲面の壁面照度を均一に調整することが難しい。また、ＬＥＤは光の指向性が高いので有色光が混ざり合わずに色ムラが生じやすい。
【０００７】
本発明の目的は、ＬＥＤを光源としたものであっても壁面の照度をほぼ均一に調整できる壁面照明装置を提供することである。
【課題を解決するための手段】
【０００８】
請求項１の発明に係わる壁面照明装置は、複数個のＬＥＤを組み合わせて複数の光色の光を出射可能であるＬＥＤ光源と；複数個のＬＥＤが取り付けられ前記ＬＥＤ光源を形成したモジュールと；複数個の前記モジュールを並べて各々のモジュールの設置角度を調整可能に取り付けたボックスと；前記ＬＥＤ光源からの出射光を配光制御し壁面に照射する配光制御部材と；を備えたことを特徴とする。
【０００９】
本発明及び以下の発明において、特に指定しない限り用語の定義及び技術的意味は以下による。
【００１０】
ＬＥＤ光源は、複数個の発光ダイオード（ＬＥＤ）が組み合わされて構成される。ＬＥＤ光源は、Ｒ（赤色）、Ｇ（緑色）、Ｂ（青色）をそれぞれ発光する発光ダイオード（ＬＥＤ）の複数個の組み合わせ、あるいは複数の発光素子でＲ（赤色）、Ｇ（緑色）、Ｂ（青色）の三色の組み合わさった光を出射するユニット状の発光ダイオード（ＬＥＤ）モジュールが複数個組み合わされて構成されたものであってもよい。
【００１１】
モジュールには複数個のＬＥＤが組み合わせて配列されＬＥＤ光源が形成される。ボックスは、複数個のモジュールに形成されたＬＥＤ光源の照射光が照射対象の壁面に向かうように、複数個のモジュールを並べて、各々のモジュールの設置角度が調整可能となるように取り付ける。すなわち、各々のモジュールに形成されたＬＥＤ光源の向きが独立して調整可能となるように取り付ける。配光制御部材には、例えば、ＬＥＤ光源からの出射光を拡散する拡散部材、ＬＥＤ光源からの出射光を集光する集光レンズやマイクロレンズアレイ等が含まれる。
【００１２】
請求項２の発明に係わる壁面照明装置は、請求項１の発明において、前記壁面に光のムラが生じないように、前記ＬＥＤ光源からのＲＧＢ出射光の強度を調整することを特徴とする。
【００１３】
本発明は、各々のＬＥＤの光出力を個別に調整して、壁面に照射する光ムラを少なくするようにしたものである。
【発明の効果】
【００１４】
請求項１の発明によれば、各々のモジュールの設置角度を個別に調整でき、各々のモジュールに形成されたＬＥＤ光源の向きが独立して調整できるので、照射対象である壁面の照度をほぼ均一に調整できる。
【００１５】
請求項２の発明によれば、ＲＧＢが組み合わさった光を出射するＬＥＤ光源の各々のＬＥＤの光出力を個別に調整するので、より細かに照度や色度合を調整できる。従って、特に壁面の曲面部分の光ムラを調整できる。
【発明を実施するための最良の形態】
【００１６】
図１は本発明の実施の形態に係わる壁面照明装置の正面図、図２は側面図である。壁面照明装置１０のボックス１１には複数個のモジュール１２ａ〜１２ｄが取り付けられている。図１、図２では、４個のモジュール１２ａ〜１２ｄが縦方向に取り付けられた場合を示している。各々のモジュール１２ａ〜１２ｄにはそれぞれ複数個のＬＥＤ１３が配列されている。そして、複数個のＬＥＤ１３の前面には複数個のＬＥＤ１３からの出射光を配光制御する配光制御部材１４が設けられている。
【００１７】
複数個のモジュール１２ａ〜１２ｄには、それぞれ複数個のＬＥＤ１３が取り付けられ、ＬＥＤ光源を形成している。ＬＥＤ光源は、複数個のＬＥＤ１３を組み合わせて、ＲＧＢが組み合わさった光を出射する。ＲＧＢが組み合わさった光は、それぞれ個別に発光するＬＥＤ１３を複数個の組み合わせて得るようにしてもよいし、複数の発光素子でＲ（赤色）、Ｇ（緑色）、Ｂ（青色）の三色の組み合わさった光を出射するユニット状の発光ダイオード（ＬＥＤ）モジュールが複数個組み合わされて構成されたものでもよい。
【００１８】
また、複数個のモジュール１２ａ〜１２ｄには、長手方向の両端部に回動軸１５ａ１、１５ａ２〜１５ｄ１、１５ｄ２が設けられ、さらに、一方端の回動軸１５ａ２〜１５ｄ２には角度調整摘み１６ａ〜１６ｄが設けられている。モジュール１２ａ〜１２ｄは回動軸１５ａ１、１５ａ２〜１５ｄ１、１５ｄ２を中心に回動し、角度調整摘み１６ａ〜１６ｄで、モジュール１２ａ〜１２ｄに配列された複数個のＬＥＤ１３の光の出射方向を調節し固定する。これにより、ＬＥＤ１３の光の出射方向はモジュール１２ａ〜１２ｄの回動角で決まり、モジュール１２ａ〜１２ｄの回動角で決められた方向にＬＥＤ１３からの光は出射する。つまり、各々のモジュール１２ａ〜１２ｄはボックス１１の水平方向を軸に角度を調節できるようになっており、ＬＥＤ１３からの光は角度調整された方向に配光制御部材１４を介して照射対象である壁面に照射される。
【００１９】
ここで、ボックス１１は図示省略の設置台に取り付けられ、ボックス１１と設置台との取付角度も調整可能となっている。これによりボックス１１自体も角度調整可能であるので、ボックス１１の角度調整と、各々のモジュール１２ａ〜１２ｄの角度調整とによって、ＬＥＤの照射角度の調整の自由度を高めている。
【００２０】
図３は、本発明の実施の形態に係わる壁面照明装置１０をローホリゾントライトとして使用する場合のモジュール１２ａ〜１２ｄの設置角度の一例を示す側面図である。ローホリゾントライトは照明対象である壁面を下部から照明するものである。図３では、最上段のモジュール１２ａの設置角度を上向きに大きくし、２段目〜４段目のモジュール１２ｂ〜１２ｄの設置角度は上向きではあるが最上段のモジュール１２ａの設置角度より小さく設定した場合を示している。
【００２１】
図４は、スタジオフロア１７の概略構成図である。スタジオフロア１７には、壁面（ホリゾント面）１８に沿ってピット１９が設けられており、このピット１９に壁面照明装置１０がローホリゾントライトとして設置される。ローホリゾントライトとしての壁面照明装置１０は照明対象である壁面１８を下部から照明する。一方、図示を省略しているが、スタジオフロア１７の上部にはアッパーホリゾントライトが設けられており、アッパーホリゾントライトとしての壁面照明装置１０は照明対象である壁面１８を上部から照明する。
【００２２】
また、壁面１８は平面部と曲面部とを有しており、平面部および曲面部の照度はほぼ均一にすることが望ましい。そこで、図示は省略しているが、各々のＬＥＤ１３の光出力を制御する制御回路を設け、ＲＧＢが組み合わさった光を出射するＬＥＤ光源の各々のＬＥＤの光出力を個別に調整する。特に、曲面部分の壁面を照射するＬＥＤの光出力を個別に制御して、曲面部においても壁面をほぼ均一の照度に保つ。
【００２３】
次に、図５は、ピット１９を有したスタジオフロア１７の壁面１８部分の断面図である。図５では、壁面照明装置１０をピット１９に縦置きにして設置し、ローホリゾントライトとして壁面１８を照射する場合を示している。各々のモジュール１２ｂ〜１２ｄは水平方向を軸に角度を調節できるようになっているので、壁面１８からの設置距離が短い場合であっても、壁面照明装置１０を縦置きにして、各々のモジュール１２ｂ〜１２ｄの設置角度を上向きにすれば壁面全体を照射することができる。なお、この場合、ローホリゾントライトとしての壁面照明装置１０だけでは、壁面を均一の照度に保つことはできないので、上部のアッパーホリゾントライトからの照射により壁面をほぼ均一の照度に保つことになる。
【００２４】
図６は、ピット１９を有していないスタジオフロア１７の壁面１８部分の断面図である。図６では、壁面照明装置１０をスタジオフロア１７に横置きにして設置し、ローホリゾントライトとして壁面１８を照射する場合を示している。スタジオフロア１７にピット１９を有していない場合には、カメラや観客からローホリゾントライトである壁面照明装置１０が見えにくくなるように壁面照明装置１０を横置きに設置する。壁面照明装置１０を横置きに設置しても、各々のモジュール１２ｂ〜１２ｄは水平方向を軸に角度を調節できるようになっているので、各々のモジュール１２ｂ〜１２ｄの設置角度を調整して壁面全体を照射することができる。なお、この場合も、縦置きの場合と同様に、ローホリゾントライトとしての壁面照明装置１０だけでは、壁面を均一の照度に保つことはできないので、上部のアッパーホリゾントライトからの照射により壁面をほぼ均一の照度に保つことになる。
【００２５】
本発明の実施の形態によれば、各々のモジュール１２ａ〜１２ｄの設置角度を個別に調整でき、各々のモジュール１２ａ〜１２ｄに形成されたＬＥＤ光源の向きが独立して調整できるので、ＬＥＤ１３の光を壁面全体に無駄なく照射することが可能となり、照射対象である壁面１８の照度をほぼ均一に調整できる。また、ＲＧＢが組み合わさった光を出射するＬＥＤ光源の各々のＬＥＤの光出力を個別に調整できるので、より細かに照度や色度合を調整できる。このことから、特に壁面１８の曲面部分の光ムラを調整できる。
【００２６】
また、光源としてＬＥＤを使用するので省電力となり発熱が少なく、スタジオ全体の空調コストを低減できる。また、有色光をそのまま出力できるので、色演出のためのフィルタを使用しなくてもよいので、フィルタの交換作業を必要とせず作業性が向上する。
【図面の簡単な説明】
【００２７】
【図１】本発明の実施の形態に係わる壁面照明装置の正面図。
【図２】本発明の実施の形態に係わる壁面照明装置の側面図。
【図３】本発明の実施の形態に係わる壁面照明装置をローホリゾントライトとして使用する場合のモジュールの設置角度の一例を示す側面図。
【図４】本発明の実施の形態に係わる壁面照明装置が設置されるスタジオフロアの概略構成図。
【図５】本発明の実施の形態に係わる壁面照明装置が設置されるピットを有したスタジオフロアの壁面部分の断面図。
【図６】本発明の実施の形態に係わる壁面照明装置が設置されるピットを有していないスタジオフロアの壁面部分の断面図。
【符号の説明】
【００２８】
１０…壁面照明装置、１１…ボックス、１２…モジュール、１３…ＬＥＤ、１４…配光制御部材、１５…回動軸、１６…角度調整摘み、１７…スタジオフロア、１８…壁面、１９…ピット
【図１】
2007080666.tif 000003
【図２】
2007080666.tif 000004
【図３】
2007080666.tif 000005
【図４】
2007080666.tif 000006
【図５】
2007080666.tif 000007
【図６】
2007080666.tif 000008